(57)【特許請求の範囲】
【請求項１】
本体と、該本体に着脱可能に構成されたフィルター部材と、該フィルター部材を介して本体に着脱可能に構成されたボトル部材と、を有し、
前記本体は、内部に配置された吸引ポンプと、上面に配置され、前記吸引ポンプの運転開始又は停止を操作するスイッチ、及び前記吸引ポンプによる吸引圧力を調整する圧力調整器と、内部の所定位置に配置され、前記吸引ポンプの回転数を制御する制御部と、側面に配置されると共に前記圧力調整器を介して前記吸引ポンプの吸引側と接続された吸引口と、該吸引口に対応させた部位に形成され前記フィルター部材を前記吸引口に着脱する際の移動を案内する案内部とを有して構成され、
前記フィルター部材は、フィルターを保持したフィルター保持体と該フィルター保持体を着脱可能に支持する支持体とからなり、フィルター保持体は保持したフィルターの厚さ方向に両側に夫々通気可能な保持体吸引口と保持体排気口を有しており、支持体は上部にフィルター保持体を保持する保持部が形成されると共に、該保持部の下部にフィルター保持体と前記本体の側面に配置された吸引口とを接続する接続部材が配置され、フィルター保持体を保持部に支持したとき該フィルター保持体の保持体排気口が接続部材に嵌装されるように構成され、
前記ボトル部材は、吸引した吸引物を収容するボトル体と該ボトル体を被蓋する蓋体とからなり、蓋体は上面の所定位置にペーシェントホースを取り付けるための取付部が形成され、且つ該蓋体の上面又は側面の所定位置に前記フィルター部材を構成するフィルター保持体の保持体吸引口と接続する接続口が形成されて構成され、
前記フィルター部材を前記本体に設けた案内部に沿って移動させ、該フィルター部材の接続部材を前記本体の側面に配置した吸引口に接続し、且つ前記ボトル部材の蓋体に形成された接続口を前記フィルター部材の保持体吸引口に接続することを特徴とする医療用吸引器。
【請求項２】
前記吸引ポンプは交流モータを有しており、前記制御部は周波数変換装置を有し、該周波数変換装置によって設定した周波数によって吸引ポンプの回転数を制御することを特徴とする請求項１に記載した医療用吸引器。
【発明の詳細な説明】
【技術分野】
【０００１】
本発明は、患者の体液や分泌物を吸引するための医療用吸引器に関し、特に在宅医療に利用し得るようにした医療用吸引器に関するものである。
【背景技術】
【０００２】
病院や診療所等の医療機関では、手術室や病室に各種の医療用吸引器が設置されている。例えば手術室に設けた医療用吸引器は、手術の際に生じた血液を含む体液や患部を洗浄する際に用いた生理食塩水等を吸引して凝固処理し得るように構成されている。また、病室に設けた医療用吸引器は、たんを含む患者の分泌物を吸引して凝固処理し得るように構成されている。
【０００３】
医療機関で利用される医療用吸引器は、蓋体を被蓋することによって気密状態に保持され吸引した体液や分泌物等を収容するボトルと、このボトルを着脱可能に取り付けて保持するボトル保持体と、を有して構成されるのが一般的である。そして、ボトルの内部に吸引圧力を作用させると共に、蓋体に取り付けたペーシェントホースを患部に適用することで、体液や分泌物を吸引してボトルに収容し得るように構成されている。このような医療用吸引器では、ボトルの内部に収容袋を設けておき、ペーシェントホースを介して吸引された体液や分泌物を収容袋に収容して凝固処理し、凝固した収容袋ごと廃棄処分し得るように構成されているのが一般的である。
【０００４】
一方、在宅医療の推進に伴って、家庭で安全且つ容易に使用することができる可搬式の医療用吸引器が開発されつつある。可搬式の医療用吸引器は、吸引ポンプと、バッテリと、吸引ポンプの駆動を制御するスイッチと、吸引した体液や分泌物を収容するボトルと、吸引流量を調整するニードル弁と、吸引圧を表示する圧力計と、を有して構成されるのが一般的である。このような医療用吸引器では、バッテリが内蔵されているため、商用電源の有無にかかわらず利用することが可能であり、在宅医療にとって有利である。
【０００５】
上記可搬式の医療用吸引器では、吸引ポンプは直流モータによって駆動され、該モータに印加された電圧に対応した一定の回転数で回転する。そして、ニードル弁の開度を調整することで、吸引流量を調整し、調整された吸引流量に対応した吸引圧が生じる。即ち、吸引ポンプは医療用吸引器に要求される最大吸引流量を実現し得る回転数で回転するように設定されており、吸引ポンプを運転した状態でニードル弁を開くと、該ニードル弁の開度に応じた吸引流量を実現する吸引圧が生じる。この吸引圧は圧力計に表示されると共にボトルに作用し、該ボトルに接続されたペーシェントホースを患部に適用することで、体液や分泌物を吸引することができる。
【発明の概要】
【発明が解決しようとする課題】
【０００６】
従来の可搬式の医療用吸引器では、吸引ポンプの回転数は一定であり、ニードル弁の開度に対応して吸引流量と吸引圧は略正比例する。即ち、吸引流量と吸引圧を互いに独立させて調整し得るような構造ではなく、ニードル弁を開いて吸引流量を大きくすると吸引圧も共に大きくなる。しかし、体液や分泌物を吸引することが必要な患部には、大きな溜飲流量が必要でありながら大きな吸引圧を作用させることが好ましくない部位もあり、このような患部に適用するのが困難となる虞がある。
【０００７】
本発明の目的は、患部に作用させる吸引圧と吸引流量を互いに独立させて調整し得るようにした在宅医療に利用し得る医療用吸引器を提供することにある。
【課題を解決するための手段】
【０００８】
上記課題を解決するために本発明に係る医療用吸引器は、本体と、該本体に着脱可能に構成されたフィルター部材と、該フィルター部材を介して本体に着脱可能に構成されたボトル部材と、を有し、前記本体は、内部に配置された吸引ポンプと、上面に配置され、前記吸引ポンプの運転開始又は停止を操作するスイッチ、及び前記吸引ポンプによる吸引圧力を調整する圧力調整器と、内部の所定位置に配置され、前記吸引ポンプの回転数を制御する制御部と、側面に配置されると共に前記圧力調整器を介して前記吸引ポンプの吸引側と接続された吸引口と、該吸引口に対応させた部位に形成され前記フィルター部材を前記吸引口に着脱する際の移動を案内する案内部とを有して構成され、前記フィルター部材は、フィルターを保持したフィルター保持体と該フィルター保持体を着脱可能に支持する支持体とからなり、フィルター保持体は保持したフィルターの厚さ方向に両側に夫々通気可能な保持体吸引口と保持体排気口を有しており、支持体は上部にフィルター保持体を保持する保持部が形成されると共に、該保持部の下部にフィルター保持体と前記本体の側面に配置された吸引口とを接続する接続部材が配置され、フィルター保持体を保持部に支持したとき該フィルター保持体の保持体排気口が接続部材に嵌装されるように構成され、前記ボトル部材は、吸引した吸引物を収容するボトル体と該ボトル体を被蓋する蓋体とからなり、蓋体は上面の所定位置にペーシェントホースを取り付けるための取付部が形成され、且つ該蓋体の上面又は側面の所定位置に前記フィルター部材を構成するフィルター保持体の保持体吸引口と接続する接続口が形成されて構成され、前記フィルター部材を前記本体に設けた案内部に沿って移動させ、該フィルター部材の接続部材を前記本体の側面に配置した吸引口に接続し、且つ前記ボトル部材の蓋体に形成された接続口を前記フィルター部材の保持体吸引口に接続して構成されているものである。
【０００９】
上記医療用吸引器に於いて、前記吸引ポンプは交流モータを有しており、前記制御部は周波数変換装置を有し、該周波数変換装置によって設定した周波数によって吸引ポンプの回転数を制御することが好ましい。
【発明の効果】
【００１０】
本発明に係る医療用吸引器（以下単に「吸引器」という）では、吸引器の本体に吸引ポンプが内蔵されているため、所望の場所に搬送して使用することができる。特に、バッテリー電源を利用することで一般家庭であっても利用することができる。また、吸引ポンプを操作するためのスイッチや、圧力を調整するための圧力調整器が本体の上面に配置されているので、本体を低いところに設置しても楽な姿勢で使用することができる。
【００１１】
また、制御部によって吸引ポンプの回転数を制御することができるので、回転数を適宜設定することで、吸引流量を設定することができる。そして、圧力調整器によって吸引圧を調整することができるため、吸引流量を略一定に保持した状態で吸引圧のみを調整することができる。このため、体液や分泌物を吸引する際には、患部及び吸引すべき量に対応させて最適な吸引流量と吸引圧の調整を行うことができる。
【００１２】
また、吸引ポンプが交流モータを有しており、制御部が周波数変換装置を有するので、吸引ポンプの回転数を適宜設定することが可能である。
【図面の簡単な説明】
【００１３】
【図１】本実施例に係る吸引器の本体の裏面側から見た内部構造を説明する図である。
【図２】本体の構成を説明する斜視図である。
【図３】ボトルの取付側から見た本体の内部構造を説明する図である。
【図４】制御部の概略構成を説明するブロック図である。
【図５】フィルター部材の構成を説明する展開図である。
【図６】一実施例に係るボトルの構成を説明する展開図である。
【図７】一実施例に係るボトルを用いて吸引器として組み立てる際の展開図である。
【図８】第２実施例に係るボトルを取り付けた吸引器を説明する図である。
【図９】第２実施例に係るボトルを用いて吸引器として組み立てる際の展開図である。
【発明を実施するための形態】
【００１４】
以下、本発明に係る吸引器の構成について説明する。本発明に係る吸引器は、在宅医療を推進するために家庭で利用することが可能なように小型化をはかると共に、所望の使用場所に容易に移動させて利用し得るようにしたものである。特に、患部に作用させる吸引流量と吸引圧を互いに独立させた状態で調整し得るように構成されたものである。このため、患部から吸引すべき体液や分泌物等の量に対応させて最適な吸引流量を作用させることが可能であり、且つ患部に応じて最適な吸引圧を作用させることが可能である。
【００１５】
本実施例に係る吸引器について図を用いて説明する。本実施例に係る吸引器は図１〜図７に示すように、本体Ａと、本体Ａに着脱可能に構成されたフィルター部材Ｂと、フィルター部材Ｂに着脱可能に構成されると共に該フィルター部材Ｂを介して吸引圧力が作用し患者の分泌物（以下、体液や分泌物を含めて「吸引物」という）を収容する第１実施例に係るボトル部材Ｃと、を有して構成されている。
【００１６】
図１〜図３に示すように、本体Ａは、底板１１とカバー１２とによって全体が閉鎖された構造を有している。底板１１は端部がカバー１２から突出して形成されており、該突出部がボトル部材Ｃを載置する載置部１１ａとして形成されている。また、カバー１２によって閉鎖された内部空間には吸引ポンプ１３が配置されており、防振ゴム１３ｃを介して底板１１から離隔した部位に固定されている。
【００１７】
吸引ポンプ１３は、ピストン式のコンプレッサ１３ａと、該コンプレッサ１３ａを駆動する交流モータ１３ｂからなり、両者が一体化して構成されている。このため、交流モータ１３ｂは、印加された周波数に対応した回転数で回転して吸引コンプレッサ１３ａを駆動し、コンプレッサ１３ａによって所定の吸引流量と吸引圧を発生し得るように構成されている。
【００１８】
特に、吸引ポンプ１３とボトル部材Ｃとの間にはニードル弁のような流量調整機能を有する弁が介在することなく、後述するように、圧力調整器１５が設けられている。この圧力調整器１５は、ニードル弁とは異なり流量調整機能を有しないため、吸引ポンプ１３を運転すると、該吸引ポンプ１３の回転数に対応した吸引流量がボトル部材Ｃに作用することとなる。そして、圧力調整器１５を操作することによって、吸引流量を保持した状態でボトル部材Ｃに作用する吸引圧を調整することが可能となる。
【００１９】
吸引ポンプ１３の吸引側には吸引ホース１４ａが接続されており、排気側には排気ホース１４ｂが接続されている。吸引ホース１４ａは、カバー１２の上面１２ｂに配置した圧力調整器１５を介してカバー１２の側面となる側壁１２ａに配置された吸引口１６と接続されており、該吸引口１６を介してフィルター部材Ｂと接続される。
【００２０】
排気ホース１３ｂは底板１１に配置した排気フィルター１７に接続されており、吸引ポンプ１３によって吸引した空気を排気フィルター１７を介して大気中に放出し得るように構成されている。特に、底板１１の下面側には複数のゴム足１１ｂが取り付けられており、該ゴム足１１ｂを介して本体Ａを目的の場所に設置したとき、底板１１と設置面との間に僅かな隙間を形成し得るように構成されている。このため、吸引ポンプ１３からの排気は、排気ホース１４ｂ、排気フィルター１７を経て底板１１の下面側に排気され、更に前記隙間を通って排出される。
【００２１】
圧力調整器１５は吸引口１６を介してボトル部材Ｃに作用する吸引圧を調整するものである。カバー１２の上面１２ｂには摘み１５ａが露出しており、該摘み１５ａの周囲には図２（ｂ）に示すように、複数の目盛１５ｂが形成されている。そして、摘み１５ａを回動させて指標（摘み１５ａの外周面に形成された突起部）を何れかの目盛１５ｂを選択して合わせるように操作することで、吸引物を吸引するのに最適な吸引圧に調整し得るように構成されている。
【００２２】
圧力調整器１５としてダイヤフラム構造のものを利用することによって、吸引圧が約−１０ｋＰａ〜約−２０ｋＰａ程度の範囲では吸引流量の変化が生じるものの、約−２０ｋＰａを超えた場合、吸引流量を略一定の値とすることが可能である。このように、圧力調整器１５を用いることによって、吸引ポンプ１３の回転数に対応した吸引流量を略一定に保持して吸引圧のみを調整することが可能となる。
【００２３】
カバー１２の上面１２ｂには、吸引ポンプ１３の運転開始又は停止を操作するスイッチ１８ａ、吸引ポンプ１３が運転している間点灯する表示灯１８ｂ、バッテリの充電状態に応じて点灯する表示灯１８ｃが夫々配置されている。また、上面１２ａの裏側には、吸引ポンプ１３の制御部１９が構成された制御盤２０が配置されている。
【００２４】
図４に示すように、制御盤２０にはバッテリの充電状態を監視するバッテリ回路２０ａが構成されており、該バッテリ回路２０ａを通して制御部１９にバッテリの充電状態が入力される。また、制御盤２０には吸引ポンプ１３の回転数を設定するための設定スイッチ２０ｂが設けられており、該設定スイッチ２０ｂの操作に伴う情報が制御部１９に入力される。
【００２５】
尚、吸引ポンプ１３の回転数を設定する設定スイッチ２０ｂは、本実施例のように制御盤２０に配置しても良く、カバー１２の上面１２ｂ或いは他の面に配置しても良い。しかし、本実施例の医療用吸引器の場合、吸引ポンプ１３の回転数に対応した吸引流量が設定されるため、吸引すべき患部によっては、簡単に回転数を変化させることが好ましくないこともある。このため、本実施例では、操作を容易に行うことが困難なように、本体Ａの内部空間に配置している。
【００２６】
制御部１９はマイコンを用いて構成されており、汎用ポート１９ａと、コンバータ、インバータ回路１９ｂと、記憶部１９ｃを有して構成されている。記憶部１９ｃには、設定スイッチ２０ｂからの入力値に対応した周波数のデータや、バッテリ回路２０ａからの入力値に対応して表示灯１３ｃを点灯するデータが記憶されている。また、コンバータ、インバータ回路１９ｂは、設定スイッチ２０ｂからの入力値に対応した周波数の交流を吸引ポンプ１３の交流モータ１３ｂに出力し得るように構成されている。
【００２７】
従って、予め設定スイッチ２０ｂを操作して交流モータ１３ｂの回転数を設定しておくことで、吸引ポンプ１３の吸引流量を設定することが可能である。そして、吸引ポンプ１３を運転した状態で圧力調整器１５の摘み１５ａを回動させて所望の目盛１５ｂを選択して合わせることで、吸引圧を調整することが可能である。このようにして設定された吸引流量と吸引圧は互いに独立して調整されることとなり、吸引圧を変化させても吸引流量に大きな変化を生じさせることがない。
【００２８】
カバー１２の端部であって底板１１の載置部１１ａと対応する側壁１２ａは、載置すべきボトル部材Ｃの外径形状に対応した形状に形成されている。本実施例では、ボトル部材Ｃは円筒型のボトル体を有するため、側壁１２ａは平面視が円弧状に形成されている。
【００２９】
側壁１２ａに於ける吸引口１６に対応させた部位に、フィルター部材Ｂを吸引口１６に装着し或いは離脱させる際の移動を案内する案内部２５が設けられている。この案内部２５はカバー１２の側壁１２ａに形成された窪みとして構成されている。即ち、側壁１２ａに配置された吸引口１６を幅方向の中心として振り分けた両側に曲面状の案内面２５ａが夫々形成されており、これらの案内面２５ａの間に溝２５ｂが形成されている。また、夫々の案内面２５ａの溝２５ｂとは反対側の端部は起立壁２５ｃに接続されている。従って、案内部２５の幅寸法は、対峙した起立壁２５ｃの間隔によって規定されている。
【００３０】
案内部２５を構成する夫々の案内面２５ａ及び溝２５ｂ、起立壁２５ｃは、吸引口１６の中心軸に対しては平行に形成されている。このため、フィルター部材Ｂを案内面２５ａに沿って直線的に移動させることで、該フィルター部材Ｂを吸引口１６に対して接近又は離隔させることが可能なように構成されている。
【００３１】
案内部２５を構成する溝２５ｂの上方には支持板２６がカバー１２の側壁１２ａと一体的に形成されており、該支持板２６には穴２６ａが形成されている。この支持板２６は、底板１１の載置部１１ａにボトル部材Ｃを載置したとき、該ボトル部材Ｃを構成する蓋体と接触して支持する機能を有するものである。
【００３２】
カバー１２の側面１２ｃには、ペーシェントホース（図示せず）を巻き付けるための巻付部材２７が設けられている。この巻付部材２７は、カバー１２の側面１２ｃから突出して形成された巻付部２７ａと、該巻付部２７ａの端部に形成されたフランジ部２７ｂと、を有して構成されている。また、フランジ部２７ｂにはペーシェントホースを保持するための保持溝２７ｃ、２７ｄが形成されている。
【００３３】
巻付部２７ａの寸法は特に限定するものではなく、予め在宅医療に想定されるペーシェントホースの長さに対応した寸法を有することが好ましい。そして、適度な剛性を有するペーシェントホースを巻き付けた後、該ペーシェントホースの自由端をフランジ部２７ｂに形成された保持溝２７ｃ或いは保持溝２７ｄに差し込むことで、安定した巻付状態を保持することが可能である。
【００３４】
巻付部材２７のフランジ部２７ｂは、ペーシェントホースを巻き付けていない状態のとき、吸引器を移動させる際に手で把持する取っ手としての機能も有している。
【００３５】
図５に示すように、フィルター部材Ｂは、フィルター保持体３１と、該フィルター保持体３１を着脱可能に支持する支持体３２とを有して構成されている。フィルター部材Ｂはボトル部材Ｃと本体Ａに配置した吸引ポンプ１３の間に配置され、ボトル部材Ｃから吸引ポンプ１３に向けて流れる空気を清浄化する機能を有する。また、フィルター部材Ｂは、ボトル部材Ｃに於いて過剰となった吸引物が流れ込んだとき、この吸引物が吸引ポンプ１３側に流れることを阻止する機能をも有する。
【００３６】
フィルター保持体３１は、長方形に形成されたシート状のフィルター３３と、該フィルター３３を厚さ方向に挟む上部体３１ａ及び下部体３１ｂと、を有して構成されている。フィルター保持体３１は、本体Ａの構造やボトル部材Ｃの形状に応じてフィルター３３の機能を最も効率良く発揮し得るような形状を有している。また、フィルター３３が長方形に形成されているため、上部体３１ａと下部体３１ｂが互いに対向する底面は該フィルター３３を挟持するのに適した形状となる長方形に形成されている。
【００３７】
上部体３１ａ及び下部体３１ｂは、互いに対向する面を底面とする四角錐状に形成されており、夫々の四角錐の先端部分がホース差し状の保持体吸引口３１ａ１、保持体排気口３１ｂ１として形成されている。そして、上部体３１ａ、下部体３１ｂの底面を対向させてフィルター３３を挟持し、この状態でシールすることで、長方形状の挟持部３１ｃが形成されると共にフィルター保持体３１が形成される。従って、フィルター保持体３１は、保持体吸引口３１ａ１から保持体排気口３１ｂ１はフィルター３３を介して通気可能に形成されている。
【００３８】
支持体３２はフィルター保持体３１を着脱可能に支持するものであり、該フィルター保持体３１の下部体３１ｂ受け入れて保持する保持部３４が形成されており、該保持部３４の下部に接続部材３５が配置されている。支持体３２の下面には、本体Ａに設けた案内部２５の案内面２５ａと接触して案内される二つの被案内面３２ａと、これらの被案内面３２ａの間に形成され溝２５ｂに遊嵌する突起部３２ｂと、が形成されている。また、支持体３２の両側面３２ｃどうしの間隔は、案内部３５の起立壁２５ｃどうしの間隔よりも僅かに小さく形成されている。
【００３９】
支持体３２の保持部３４の下部には図示しない穴が形成されており、該穴に接続部材３５が嵌合して保持される。接続部材３５は柔軟性と弾力性を有する例えばシリコンゴムによって形成され、接続口３５ａ、３５ｂを有するエルボ状に形成されている。また、接続部材３５の外周部の所定位置には一対の挟持フランジ３５ｃが形成されている。そして、接続口３５ａを保持部３４の内部に挿入するように保持部３４の穴に差し込んで、該穴を挟持フランジ３５ｃによって挟持することで、接続部材３５を支持体３２に取り付けることが可能である。
【００４０】
接続部材３５を支持体３２に取り付けたとき、接続口３５ａは保持部３４の内部に配置されて該保持部３４の開放部に向けて開口し、接続口３５ｂは支持体３２の下部に突出して接続口３５ａに対して直角に、且つ支持体３２の被案内面３２ａと平行な方向に開口する。そして、接続口３５ａには保持部３４に保持したフィルター保持体３１の保持体排気口３１ｂ１が差し込まれて接続する。また、接続口３５ｂは、フィルター部材Ｂを本体Ａに装着したとき、該本体Ａを構成するカバー１２の側壁１２ａに配置された吸引口１６に差し込まれて接続する。
【００４１】
接続口３５ａ、３５ｂは、保持体排気口３１ｂ１の差し込みや、吸引口１６の差し込みを容易に行えるように、各接続口３５ａ、３５ｂの開口部分の内径が保持体排気口３１ｂ１、吸引口１６の外径よりも大きく形成されている。また、各接続口３５ａ、３５ｂの開口部分に連続した部分は、差し込まれた保持体排気口３１ｂ１、吸引口１６の差し込み状態を保持し得るように、保持体排気口３１ｂ１、吸引口１６の外径と略等しい内径を有している。
【００４２】
上記の如く構成された接続部材３５では、該接続部材３５が柔軟性と弾力性を有するため、各接続口３５ａ、３５ｂに保持体排気口３１ｂ１、吸引口１６が差し込まれたとき、これらの差し込み状態を確実に保持することが可能である。
【００４３】
また、フィルター部材Ｂは、本体Ａに設けた案内部３５に案内されて接続部材３５の接続口３５ｂが吸引口１６に差し込まれたとき、支持体３２の一部が案内部３５からはみ出していることが好ましい。フィルター部材Ｂがこのような寸法に形成されることで、該フィルター部材Ｂを本体Ａに装着する際の作業、特に本体Ａに装着されているフィルター部材Ｂを離脱させる際の作業を容易に行うことが可能となる。
【００４４】
図６に示すボトル部材Ｃは、本体Ａのカバー１２の高さと略等しい高さを有しており、本実施例に係る医療用吸引器の純正品として構成されたものである。このボトル部材Ｃは内部に吸引ポンプ１３で発生した吸引圧が作用しており、患者から吸引した吸引物を収容し得るように構成されている。このため、ボトル部材Ｃは、吸引物を収容するボトル体４１と、該ボトル体４１を被蓋して気密を保持して閉鎖する蓋体４２と、を有して構成されている。
【００４５】
ボトル体４１は円筒状の透明容器として構成されており、内部に収容された吸引物の量や色などを外部から確認し得るように構成されている。特に、ボトル体４１の側面には図示しない目盛が形成されており、該目盛によって収容した吸引物の量を確認し得るように構成されている。
【００４６】
在宅医療に用いられる吸引器では、ボトル部材Ｃに収容した吸引物を凝固処理することはせず、ボトル体４１に収容した状態で水洗トイレに廃棄処理することが行われる。これは、吸引物を凝固処理した場合、凝固した吸引物は医療廃棄物となり、特殊な処分が必要となって家庭での処分が不可能になるからである。
【００４７】
このため、ボトル体４１はガラスや硬質プラスチック等の充分な剛性を有し且つ透明な容器として構成されており、上端部分には蓋体４２を気密を保持して取り付けるための取付部４１ａが形成されている。この取付部４１ａは、蓋体４２を取り付ける際の操作が容易で、且つ取り付けた蓋体４２が簡単に離脱することがないような構造であれば良い。
【００４８】
このような構造としては、ボトル体４１の上端部分の外周面と、蓋体４２の下端部分の内周面に互いに噛み合うような突起を設けることで良い。この場合、蓋体４２をボトル体４１に被蓋して回動させることで、突起どうしを噛み合わせることが可能である。また、蓋体４２の内面であって、ボトル体４１の上端面４１ｂと対向する部位に配置されたパッキン４２ａが該上端面４１ｂに圧接することで、気密を保持することが可能である。
【００４９】
蓋体４２は、上面の所定位置にペーシェントホースを取り付けるための取付部４３が形成され、側面の所定位置にフィルター部材Ｂを構成するフィルター保持体３１の保持体吸引口３１ａ１と接続する接続部４４が形成されている。
【００５０】
取付部４３は蓋体４２を厚さ方向に貫通して構成されており、該蓋体４２の上面からはペーシェントホースを取り付けるためにホース差し状に形成された差込口４３ａが突設されている。また、蓋体４２の下面からはノズル４３ｂが突設されており、該ノズル４３ｂを介してボトル部材Ｃに作用する吸引圧力によってペーシェントホースを介して患者から吸引し得るように構成されている。
【００５１】
接続部４４は蓋体４２の下面側から側面に貫通して構成されており、該蓋体４２の側面には内部に通気孔が形成された突起４２ｂが形成されており、該突起４２ｂにＬ字状に形成された接続プラグ４４ａが着脱可能に装着されている。この接続プラグ４４ａは蓋体４２に設けた接続口となるものであり、該接続プラグ４４ａには、フィルター部材Ｂのフィルター保持体３１に形成された保持体吸引口３１ａ１が差し込まれる接続チューブ４５が取り付けられている。
【００５２】
また、蓋体４２の下面からは接続部４４を構成する有底筒体４４ｂが突設されている。この有底筒体４４ｂの側面には複数の開口４４ｃが形成されており、内部にフロート４４ｄが有底筒体４４ｂの軸方向に沿って移動可能に収容されている。
【００５３】
フロート４４ｄは、ボトル体４１に収容された吸引物の収容量の増加に伴って液面が上昇して有底筒体４４ｂまで到達した後、更なる液面の上昇に伴って上昇する。そして、フロート４４ｄが有底筒体４４ｂの最上部に到達したとき、接続部４４を遮断して吸引物がフィルター部材Ｂに流れることを阻止し得るように構成されている。
【００５４】
上記接続プラグ４４ａに取り付けた接続チューブ４５は、柔軟性と弾力性を有する例えばシリコンゴムによって成形されている。そして、接続チューブ４５の一方の端部（図６に於ける上方の端部）は、蓋体４２の接続口となる接続プラグ４４ａに嵌装されており、他方の端部４５ｂがフィルター部材Ｂの保持体吸引口３１ａ１を差し込んで接続し得るように構成されている。
【００５５】
接続チューブ４５の端部４５ｂは、フィルター部材Ｂの保持体吸引口３１ａ１が容易に差し込まれるように、開口部分の内径が保持体吸引口３１ａ１の外径よりも大きい案内部４５ｂ１として形成されている。そして、案内部４５ｂ１に連続した部分は嵌装部４５ｂ２として形成されており、内径が保持体吸引口３１ａ１の外径と略等しく、差し込まれた保持体吸引口３１ａ１を確実に保持し得るように構成されている。
【００５６】
次に図７を用いて上記の如く構成された本体Ａ、フィルター部材Ｂ、ボトル部材Ｃによって吸引器を構成し、或いは吸引器から離脱させる手順について簡単に説明する。
【００５７】
尚、本体Ａに設置した吸引ポンプ１３の回転数は、予め目的の患部と、該患部から吸引する吸引物の量、等の条件に応じて最適な回転数となるように設定されている。即ち、制御盤２０に設けた設定スイッチ２０ｂによって目的の回転数に対応した信号が制御部１９に入力され、この信号に対応してコンバータ、インバータ回路１９ｂで周波数変換される。
【００５８】
フィルター部材Ｂの支持体３２に接続部材３５を取り付け、フィルター保持体３１の下部体３１ｂを支持体３２の保持部３４に装着しつつ、下部体３１ｂの保持体排気口３１ｂ１を接続部材３５の接続口３５ａに差し込むことで、フィルター部材Ｂを構成する。この作業は簡単な操作であり、高い習熟度を要することがない。
【００５９】
次いで、フィルター部材Ｂの支持体３２の下面に形成した被案内面３２ａを本体Ａに構成した案内部２５の案内面２５ａに載置し、フィルター部材Ｂを押し込んで案内面２５ａに沿って移動させる。この移動に伴って、接続部材３５の接続口３５ｂがカバー１２の側壁１２ａに配置された吸引口１６に接近し、且つ接続口３５ｂに吸引口１６が差し込まれ、フィルター部材Ｂは吸引ポンプ１３と接続されることとなる。この作業は、フィルター部材Ｂを案内部２５に沿って押し込むという操作であり、高い習熟度を要することがない。また、フィルター部材Ｂを本体Ａから離脱させる際には、フィルター部材Ｂの案内部２５からはみ出している部分を把持して引き出すことで良い。従って、この作業は極めて容易であり、高い習熟度を要することがない。
【００６０】
上記の如くしてフィルター部材Ｂを本体Ａに装着したとき、該フィルター部材Ｂの保持体吸引口３１ａ１は案内部２５に沿ってカバー１２の側壁１２ａの内部側であって、支持板２６の下方に位置する。
【００６１】
次いで、ボトル体４１に蓋体４２を被蓋してボトル部材Ｃを構成し、蓋体４２から突出して配置されている接続チューブ４５の端部４５ｂを本体Ａに設けた支持板２６の上方に位置させて下降させる。この過程で、接続チューブ４５の端部４５ｂがフィルター部材Ｂの保持体吸引口３１ａ１に接近し、該保持体吸引口３１ａ１は端部４５ａの案内部４５ｂ１に案内されて嵌装部４５ｂ２に差し込まれる。これにより、ボトル部材Ｃはフィルター部材Ｂを介して吸引ポンプ１３と接続される。この作業も単にボトル部材Ｃを下降させるという操作であり、高い習熟度を要することがない。また、ボトル部材Ｃをフィルター部材Ｂから離脱させる際には、ボトル部材Ｃを把持して上昇させることで良い。従って、この作業は極めて容易であり、高い習熟度を要することがない。
【００６２】
上記の如くして組み立てた医療用吸引器の蓋体４２に設けた差込口４３ａにペーシェントホースを差し込み、カバー１２の上面１２ｂに設けたスイッチ１８ａを操作して吸引ポンプ１３を駆動すると共に、摘み１５ａを操作して吸引圧を所望の圧力に調整することが可能である。そして、ペーシェントホースを患部に適用することで、該患部から吸引物をボトル部材Ｃのボトル体４１に吸引することが可能である。
【００６３】
次に、特に手術室で用いられるように構成された第２実施例に係るボトル部材Ｄを利用する場合について図８、図９により説明する。本実施例で利用するボトル部材Ｄは、前述のボトル部材Ｃと比較すると、吸引用の配管との接続部分の構造が異なる。しかし、本体Ａ及びフィルター部材Ｂは前述の実施例で説明したものをそのまま利用し得るように構成されている。
【００６４】
本実施例に於けるボトル部材Ｄは、医療機関に於ける病室や診療室の壁面に設けられ、吸引用の配管が接続されると共にボトル部材Ｄを着脱させる装着部材を有するアウトレットに装着して使用し得るように構成されている。このため、ボトル体５１は本体Ａの高さよりも大きい高さを有している。このようなボトル部材Ｄでは、ボトル体５１の容積が大きく、約４リットル程度あるのが一般的であり、重量も大きくなる。このボトル体５１は前述のボトル体４１と同様に、円筒状の透明容器として構成されており、側面には図示しない目盛が形成されている。
【００６５】
ボトル部材Ｄを構成する蓋体５２の上面には一対のレール５２ａが形成されており、該レール５２ａの間にボトル体５１と通気する図示しない通気孔が形成されている。ボトル部材Ｄは、レール５２ａを介して病室に設けたアウトレットに着脱し得るように構成されており、アウトレットに装着したとき、該アウトレットに設けた吸引用の配管とレール５２ａの間に形成された通気孔とが気密を保持して接続される。
【００６６】
また、蓋体５２の略中央部であって一対のレール５２ａの間には警笛５２ｂが配置されており、この警笛５２ｂによって吸引物がボトル体５１の収容限界に達したときに警報をならして周囲の注意を喚起し得るように構成されている。
【００６７】
ボトル体５１の容積が大きいため重量が大きくなる。このため、ボトル体５１に収容された吸引物の廃棄や清掃する際の操作がし易いように、該ボトル体５１には取っ手５１ｂが設けられている。この取っ手５１ｂは蓋体５２の開閉を制御し得るように構成されており、蓋体５２を閉じることで被蓋し、開閉ボタン５１ｃを押操作することによって、蓋体５２のボトル体５１に対する被蓋状態を解除することが可能である。
【００６８】
また、蓋体５２の上面の所定位置には、ペーシェントホースを取り付けるための取付部５３が形成されている。取付部５３は蓋体５２を厚さ方向に貫通して構成されており、ペーシェントホースを取り付けるためにホース差し状に形成されている。
【００６９】
上記の如く構成されたボトル部材Ｄを本体Ａに装着するに際し、蓋体５２の上面に設けた一対のレール５２ａの間に形成された通気孔を介して吸引圧力を伝えることが必要となる。このため、蓋体５２のレール５２ａにはブラケット５４が装着され、該ブラケット５４、フィルター部材Ｂを介してボトル部材Ｄが吸引ポンプ１３に接続されている。
【００７０】
ブラケット５４はコ字状に形成され、一端が閉鎖された本体５４ａを有しており、該本体５４ａに設けた摺動部５４ｂが蓋体５２のレール５２ａと係合して摺動することで、蓋体５２に対し着脱可能に構成されている。また、ブラケット５４の閉鎖された端部からは接続口５４ｃが突設されており、該接続口５４ｃに接続ホース５５が接続されている。更に、ブラケット５４の閉鎖された端部に形成された接続口５４ｃの内部側にはシールパッキン５４ｄが配置されており、ブラケット５４をレール５２ａを介して蓋体５２に装着したとき、該シールパッキン５４ｄがレール５２ａの間に形成された通気孔をシールして気密を保持し得るように構成されている。
【００７１】
また、ボトル部材Ｄを本体Ａに装着するに際し、ボトル体５１を安定した状態で保持することが必要である。このため、ボトル体５１をボトル体保持体５７に保持して本体Ａに装着することで、安定して保持し得るように構成している。
【００７２】
このボトル体保持体５７はボトル部材Ｄのボトル体５１の外周を保持して本体Ａに装着する機能と、ボトル部材Ｄとフィルター部材Ｂとの間で吸引圧力を伝える中継点となる機能を有するものである。このため、ボトル体保持体５７は、保持部材５７ａと、該保持部材５７ａから突設されブラケット５４とフィルター部材Ｂとを中継する導通部材５７ｂと、を有して構成されている。
【００７３】
上記ボトル保持体５７を構成する保持部材５７ａは、保持すべきボトル体５１の外径よりも大きい内径を有し、一部が切り欠かれた円弧状に形成されている。特に、保持部材５７ａは、剛性を有する元部と、切り欠き側の所定範囲に形成された適度な弾性を有する把持部とによって構成されている。従って、保持部材５７ａにボトル部材Ｄのボトル体５１を上方から差し込むことで、保持することが可能である。そして、保持したボトル体５１に横方向の動きが生じたとしても、把持部が有する弾性によって安定した保持状態を継続することが可能である。
【００７４】
導通部材５７ｂは、保持部材５７ａの元部に形成されている。即ち、保持部材５７ａの元部には導通部材５７ｂを構成する突起部５７ｂ２が形成されており、該突起部５７ｂ２に接続ホース５５と接続される接続口５７ｂ１が形成されている。この接続口５７ｂ１から突起部５７ｂ２の内部を通って下面に貫通した通気孔が形成されており、この下面にフィルター部材Ｂの保持体吸引口３１ａ１に接続する接続チューブが取り付けられている。
【００７５】
上記接続チューブは、前述した接続部材３５と同様に、柔軟性と弾力性を有する例えばシリコンゴムによって直線的なソケット状に形成されている。そして、一方の接続口を導通部材５７ｂの下面側に設けたホース差しに挿入することで取り付けられている。この接続チューブの他方の端部は、保持体吸引口３１ａ１の差し込みを容易に行えるように、開口部分の内径が保持体吸引口３１ａ１の外径よりも大きく形成されている。このため、接続チューブに保持体吸引口３１ａ１が差し込まれたとき、これらの差し込み状態を確実に保持することが可能である。
【００７６】
上記の如く構成された本体Ａ、フィルター部材Ｂ、ボトル部材Ｄによって吸引器を構成し、或いは吸引器から離脱させる手順について簡単に説明する。
【００７７】
先ず、前述した例と同様にしてフィルター部材Ｂを構成し、このフィルター部材Ｂを本体Ａに取り付ける。
【００７８】
次いで、ボトル体５１に蓋体５２を被蓋すると共に該蓋体５２にブラケット５４を装着し、更にボトル体５１をボトル体保持体５７の保持部材５７ａに差し込んでボトル部材Ｄを構成する。ボトル体保持体５７の導通部材５７ｂをフィルター部材Ｂの上方に位置させ、この状態を保持してボトル部材Ｄを下降させることで、導通部材５７ｂをフィルター部材Ｂの保持体吸引口３１ａ１に接続する。このとき、ボトル体保持体５７の導通部材５７ｂは、本体Ａの支持板２６に当接して支持される。
【００７９】
そして、ブラケット５４に接続されている接続ホース５５を導通部材５７の接続口５７ｂ１に接続することで、ボトル部材Ｄのボトル体５１と本体Ａに内蔵した吸引ポンプ１３が接続される。また、ボトル部材Ｄをフィルター部材Ｂから離脱させる際には、ボトル部材Ｄの取っ手５１ｂを把持して上昇させることで良い。
【００８０】
上記の如くして組み立てた吸引器の蓋体５２に設けた取付部５３にペーシェントホースを差し込み、カバー１２の上面１２ｂに設けたスイッチ１８ａを操作して吸引ポンプ１３を駆動することで、ボトル部材Ｄの内部に吸引圧力を作用させることが可能である。また、摘み１５ａを操作して吸引圧力を所望の圧力に調整することが可能である。
【産業上の利用可能性】
【００８１】
本発明に係る吸引器は、吸引ポンプ１３が本体Ａに内蔵されているため、在宅医療のみに関わらず簡易な移動可能な吸引器として利用することが可能である。
【符号の説明】
【００８２】
Ａ                本体
Ｂ                フィルター部材
Ｃ、Ｄ            ボトル部材
１１              底板
１１ａ            載置部
１１ｂ            ゴム足
１２              カバー
１２ａ            側壁
１２ｂ            上面
１２ｃ            側面
１３              吸引ポンプ
１３ａ            コンプレッサ
１３ｂ            交流モータ
１３ｃ            防振ゴム
１４ａ            吸引ホース
１４ｂ            排気ホース
１５              圧力調整器
１５ａ            摘み
１５ｂ            目盛
１６              吸引口
１７              排気フィルター
１８ａ            スイッチ
１８ｂ、１８ｃ    表示灯
１９              制御部
１９ａ            汎用ポート
１９ｂ            コンバータ、インバータ回路
１９ｃ            記憶部
２０              制御盤
２０ａ            バッテリ回路
２０ｂ            設定スイッチ
２５              案内部
２５ａ            案内面
２５ｂ            溝
２５ｃ            起立壁
２６              支持板
２６ａ            穴
２７              巻付部材
２７ａ            巻付部
２７ｂ            フランジ部
２７ｃ、ｄ        保持溝
３１              フィルター保持体
３１ａ            上部体
３１ａ１          保持体吸引口
３１ｂ            下部体
３１ｂ１          保持体排気口
３１ｃ            挟持部
３２              支持体
３２ａ            被案内面
３２ｂ            突起部
３３              フィルター
３４              保持部
３５              接続部材
３５ａ、３５ｂ    接続口
３５ｃ            挟持フランジ
４１              ボトル体
４１ａ            取付部
４１ｂ            上端面
４２              蓋体
４２ａ            パッキン
４２ｂ            突起
４３              取付部
４３ａ            差込口
４３ｂ            ノズル
４４              接続部
４４ａ            接続プラグ
４４ｂ            有底筒体
４４ｃ            開口
４４ｄ            フロート
４５              接続チューブ
４５ｂ            端部
４５ｂ１          案内部
４５ｂ２          嵌装部
５１              ボトル体
５１ｂ            取っ手
５１ｃ            開閉ボタン
５２              蓋体
５２ａ            レール
５２ｂ            警笛
５３              取付部
５４              ブラケット
５４ａ            本体
５４ｂ            摺動部
５４ｃ            接続口
５４ｄ            シールパッキン
５５              接続ホース
５７              ボトル体保持体
５７ａ            保持部材
５７ｂ            導通部材
５７ｂ１          接続口
５７ｂ２          突起部
【図１】
0006529771.tif 000002
【図２】
0006529771.tif 000003
【図３】
0006529771.tif 000004
【図４】
0006529771.tif 000005
【図５】
0006529771.tif 000006
【図６】
0006529771.tif 000007
【図７】
0006529771.tif 000008
【図８】
0006529771.tif 000009
【図９】
0006529771.tif 000010